(57)【要約】【課題】  揺動回動するキャップ体で、容器本体から突出した吸上げ部材を保持することにより、容器本体から突出している吸上げ部材部分の安定した保持と、正確な突出程度の設定とを得ることを目的とする。【解決手段】  薬液を収納した容器本体１内から、下部を薬液に浸漬させた状態で引出された吸上げ部材２７を、キャップ体３の開閉揺動する開閉蓋部１２に、この開閉蓋部１２の頂壁１３の直下に、上面に係止片２６を突設して設けられた横棒状の保持片２５に、掛け止め保持させることにより、吸上げ部材２７の開閉蓋部１２の強固で確実でそして簡単な取付けを達成する。【選択図】  図２
2008273558.tif 000002
【特許請求の範囲】
【請求項１】
薬液を収納した容器本体と、該容器本体の口筒部に密に組付く本体部に開閉蓋部を開閉回動可能に蝶番結合したキャップ体と、前記本体部の引出し口から引出されて、前記容器本体内の薬液を吸上げる吸上げ部材とを有する容器において、有頂筒形状の前記開閉蓋部の頂壁の直下に、前記吸上げ部材を掛け止め保持する横棒状の保持片を設け、該保持片の上面にズレ防止用の係止片を突設した薬液揮散容器。
【請求項２】
保持片を、片持ち構造とした請求項１記載の薬液揮散容器。
【請求項３】
係止片を、三角突片状とした請求項１または２記載の薬液揮散容器。
【請求項４】
平板状のベース板の真下に保持片を一体設して保持体を構成し、該保持体をベース板により、開閉蓋部の頂壁下面に組付け固定した請求項１〜３の何れか１項に記載の薬液揮散容器。
【請求項５】
保持片を平行に二本設け、該両保持片の間に対向位置するベース板の下面箇所に、係止片を突設した請求項４記載の薬液揮散容器。
【請求項６】
キャップ体の本体部に開設した引出し口の開口縁に、吸上げ部材に弾接して支持する弾接片を設けた請求項１〜５の何れか１項に記載の薬液揮散容器。
【請求項７】
キャップ体の本体部と開閉蓋部とを結合する蝶番を、ヒンジとした請求項６記載の薬液揮散容器。
【請求項８】
引出し口を、有底筒状の収納筒片の底壁に開設し、前記収納筒片内に吸上げ部材の所望長さ部分を収納した請求項１〜５の何れか１項に記載の薬液揮散容器。
【請求項９】
蝶番を、蝶番片と蝶番軸とから構成し、該蝶番軸を正多角断面形状に構成すると共に、前記蝶番片に、前記蝶番軸と同じ断面形状の軸孔を形成した請求項１〜８の何れか１項に記載の薬液揮散容器。
【発明の詳細な説明】
【技術分野】
【０００１】
本発明は、芳香剤や消臭剤等の薬液を、吸上げ部材を介して揮散させる薬液揮散容器に関するものである。
【背景技術】
【０００２】
ボトル状の容器本体に収納された、芳香剤や消臭剤等の薬液を、毛細管現象により吸上げ部材で容器本体外に吸上げて、そのまま吸上げ部材から揮散させる薬液揮散容器が知られている。
【０００３】
この薬液揮散容器は、薬液を収納した容器本体の開口部に、下部を薬液に浸漬させた吸上げ部材を、上部を容器本体の開口部から突出させた姿勢で組付け、吸上げ部材の容器本体の開口部から突出程度を調整する、すなわち容器本体外に露出する吸上げ部材の表面積を調整することにより、単位時間当たりの薬液の揮散量を調整できるようにしている。
【特許文献１】特開２００５−０５８５５０号公報（図３、図４図示構成）
【発明の開示】
【発明が解決しようとする課題】
【０００４】
しかしながら、上記した特許文献１にあっては、容器本体の開口部に対する吸上げ部材の組付きを、吸上げ部材の開口部に対する突っ張り力だけで達成するので、その組付き状態が不安定であり、設定された突出程度を、安定的に自己保持するのに不安がある、と云う問題があった。
【０００５】
そこで、本発明は、上記した従来技術における問題点を解消すべく創案されたもので、揺動回動により開閉すべく容器本体に取付けられたキャップ体により、容器本体から突出した吸上げ部材を保持することを技術的課題とし、もって容器本体から突出している吸上げ部材部分の安定した保持と、正確な突出程度の設定とを得ることを目的とする。
【課題を解決するための手段】
【０００６】
本発明による薬液揮散容器は、薬液を収納した容器本体と、この容器本体の口筒部に密に組付く本体部に、開閉蓋部を開閉回動可能に蝶番結合したキャップ体と、キャップ体の本体部の引出し口から引出されて、容器本体内の薬液を吸上げる吸上げ部材とを有する、構成となっている。
【０００７】
キャップ体の、有頂筒形状をした開閉蓋部の頂壁の直下に、吸上げ部材を掛け止め保持する横棒状の保持片を設け、この保持片の上面にズレ防止用の係止片を突設している。
【０００８】
キャップ体の開閉蓋部に設けた保持片に掛け止めされた吸上げ部材は、その掛かり方向に沿って引っ張り力が作用しても、食い込み状に係止する係止片の係止作用により、保持片に対してズレ変位することなく、保持片に対する安定した掛け止め状態が維持される。
【０００９】
このように吸上げ部材は、開閉のため回動変位する開閉蓋部に固定保持されるので、開閉蓋部の開放角度の増大に従って、立上がり状に露出する部分の長さが増大することになる。
【００１０】
本発明の別の構成は、保持片を、片持ち構造とした、ものである。
【００１１】
保持片を片持ち構造としたものにあっては、片持ちした側とは反対側の保持片の端部と、開閉蓋部の頂壁側との間が、保持片に沿った方向に開放された状態となる。
【００１２】
また、本発明の別の構成は、係止片を、三角突片状とした、ものである。
【００１３】
係止片を三角突片状としたものにあっては、係止片の突出端が鋭い構造となるので、保持片に掛け止めされた吸上げ部材に対する係止片の食い込みが、確実にかつ充分に行われることになる。
【００１４】
また、本発明の別の構成は、平板状のベース板の真下に保持片を一体設して保持体を構成し、この保持体をベース板により、開閉蓋部の頂壁下面に組付け固定した、ものである。
【００１５】
キャップ体とは別に、保持片を有する保持体を設けたものにあっては、キャップ体の開閉蓋部を、保持片を設けるために特別な構造とする必要がない。
【００１６】
また、本発明の別の構成は、保持片を平行に二本設け、この両保持片の間に対向位置するベース板の下面箇所に、係止片を突設した、ものである。
【００１７】
保持片を平行に二本設け、ベース板の下面箇所に係止片を突設したものにあっては、両保持片に掛け渡された吸上げ部材に対して、ベース板に設けた係止片が係止するので、保持片に掛け止めされた吸上げ部材に対して、両保持片に設けた係止片と、ベース板に設けた係止片とが係止することになる。
【００１８】
また、本発明の別の構成は、キャップ体の本体部に開設した引出し口の開口縁に、吸上げ部材に弾接して支持する弾接片を設けた、ものである。
【００１９】
キャップ体の本体部の引出し口の開口縁に弾接片を設けたものにあっては、引出し口の開口縁と吸上げ部材との間に、所望する摺動抵抗を付与することが可能であり、これにより引出された吸上げ部材が、自重により落込むのを阻止することができる状態で、キャップ体の開閉蓋部の閉鎖回動動作に従って、容器本体内に押し込み可能とすることができる。
【００２０】
また、本発明の別の構成は、キャップ体の本体部と開閉蓋部とを結合する蝶番をヒンジとした、ものである。
【００２１】
蝶番をヒンジとしたものにあっては、本体部の引出し口の開口縁に弾接片を設けたものと組合さることにより、引出し口から引出された吸上げ部材により、開閉蓋部の開放姿勢が保持される。
【００２２】
また、本発明の別の構成は、引出し口を、有底筒状の収納筒片の底壁に開設し、収納筒片内に吸上げ部材の所望長さ部分を収納した、ものである。
【００２３】
収納筒片内に吸上げ部材の所望長さ部分を収納したものにあっては、開閉蓋部を開放回動することにより、収納筒片内の吸上げ部材部分が、その上側部分を露出させると共に、開閉蓋部により引き上げられた吸上げ部材部分が、その全体を露出させることになる。
【００２４】
また、本発明の別の構成は、蝶番を、蝶番片と蝶番軸とから構成し、この蝶番軸を正多角断面形状に構成すると共に、蝶番片に、蝶番軸と同じ断面形状の軸孔を形成した、ものである。
【００２５】
正多角断面形状の蝶番軸と、蝶番軸と同じ断面形状の軸孔を有する蝶番片とから蝶番を構成したものにあっては、開閉蓋部を、複数の開放角度姿勢に自己保持させることができる。
【発明の効果】
【００２６】
本発明は、上記した構成となっているので、以下に示す効果を奏する。
本発明にあっては、吸上げ部材を保持片に引っ掛け状に掛け止めするだけで、吸上げ部材の開閉蓋部側への安定した取付けが達成されるので、開閉蓋部の開放回動に従って、吸上げ部材を、確実に立上がり状に露出させることができる。
【００２７】
また、立上がり状に露出する吸上げ部材部分の長さは、開閉蓋部の開放角度に従うので、開閉蓋部の開放角度を調整することにより、薬液の揮散程度を簡単にかつ正確に調節することができる。
【００２８】
保持片を片持ち構造としたものにあっては、保持片の一方の端部と、開閉蓋部の頂壁側との間が開放された状態となるので、吸上げ部材の保持片に対する掛け止めを、この保持片の開放された端部側から行うことにより、殆ど係止片に邪魔されることなく、簡単にかつ適正に行うことができる。
【００２９】
係止片を三角突片状としたものにあっては、保持片に掛け止めされた吸上げ部材に対する係止片の食い込みが、確実にかつ充分に行われるので、保持片に対する吸上げ部材の掛け止めが、より安定して強固に達成できる。
【００３０】
キャップ体とは別に、保持片を有する保持体を設けたものにあっては、キャップ体の開閉蓋部を、保持片を設けるために特別な構造とする必要がないので、キャップ体の開閉蓋部の構造が複雑となることがなく、開閉蓋部を、従来通りに簡単に成形することができ、また開閉蓋部として既存のものを、そのまま利用することも可能となる。
【００３１】
保持片を平行に二本設け、ベース板の下面箇所に係止片を突設したものにあっては、保持片に掛け止めされた吸上げ部材に対して、保持片側の係止片と、ベース板側の係止片とが係止するので、開閉蓋部に対する吸上げ部材の取付けを、きわめて強固に安定したものとすることができる。
【００３２】
キャップ体の本体部の引出し口の開口縁に弾接片を設けたものにあっては、引出された吸上げ部材が、自重により落込むのを阻止することができる状態で、キャップ体の開閉蓋部の閉鎖回動動作に従って、容器本体内に押し込み可能とすることができるので、吸上げ部材の露出長さを、開閉蓋部の開放角度に正確に対応させることができ、これにより薬液の揮散程度を正確に設定することができる。
【００３３】
蝶番をヒンジとしたものにあっては、本体部の引出し口の開口縁に弾接片を設けたものと組合さることにより、引出し口から引出された吸上げ部材により、開閉蓋部の開放姿勢が保持されるので、開閉蓋部を所望する開放角度に開放することにより、簡単に薬液の揮散程度を設定することができる。
【００３４】
収納筒片内に吸上げ部材の所望長さ部分を収納したものにあっては、開閉蓋部を開放回動することにより、収納筒片内の吸上げ部材部分が、その上側部分を露出させると共に、開閉蓋部により引き上げられた吸上げ部材部分が、その全体を露出させることになるので、開閉蓋部の開放当初から、薬液の大きな揮散程度を得ることができる。
【００３５】
正多角断面形状の蝶番軸と、蝶番軸と同じ断面形状の軸孔を有する蝶番片とから蝶番を構成したものにあっては、開閉蓋部を、複数の開放角度姿勢に自己保持させることができるので、薬液の揮散程度を段階的に調整することができ、また予め所望長さの吸上げ部材部分を、容器本体外の収納筒部に位置させた場合のように、吸上げ部材が開閉蓋部の開放姿勢を保持することができない場合でも、吸上げ部材を、立上がり状の露出姿勢に保持することができ、薬液の安定した揮散動作を得ることができる。
【発明を実施するための最良の形態】
【００３６】
以下、本発明の実施形態を、図面を参照しながら説明する。
【００３７】
図１ないし図４は、本発明の第一の実施形態例を示すもので、芳香剤や消臭剤等の薬液を収納した容器本体１は、合成樹脂によりボトル状に成形されており、上端開口部を形成する口筒部２の外周面には螺条が刻設されている。
【００３８】
キャップ体３は、口筒部２に、パッキン２８を介して密に螺合組付きする本体部４と、この本体部４に開設された引出し口１０を開閉する開閉蓋部１２とから構成されている。なお、本体部４の口筒部２に対する組付きは、螺合に特定されることはなく、アンダーカット結合等の他の適当な組付き手段を用いてもよい。
【００３９】
本体部４は、口筒部２に組付く組付き筒５の上端に、引出し口１０を開設した頂板６を連設し、この頂板６の周端部分に、閉姿勢の開閉蓋部１２が係合する係合段部７を形成している。
【００４０】
開閉蓋部１２は、有頂円筒形状をしていて、頂壁１３の周端から下端開口部を係合段部７に係合させる外筒１４を垂下設すると共に、この外筒１４の内側に、引出し口１０を開閉する内筒１５を垂下設し、この内筒１５の内周面上端部に、係止突条１６を周設している。
【００４１】
保持体２２は、開閉蓋部１２の内筒１５の内径と等しい外径の平円板形状をしたベース板２３の下面に、吸上げ部材２７の厚みと略等しい間隔を開けて、横棒状の保持片２５を片持ち状に一体に設け、この保持片２５の上面に係止片２６を突設（図３参照）して構成され、ベース板２３の周端縁を、内筒１５の係止突条１６に乗り越え係止させることにより、開閉蓋部１２に組付く。
【００４２】
保持片２５に設けた係止片２６は、図３に示した円弧片状に限ることはなく、吸上げ部材２７に対する係止を、食い込み状に達成すべく、三角状（図４参照）としてもよい。
【００４３】
この保持体２２のベース板２３に形成された切欠き２４は、保持片２５をベース板２３に一体に射出成形する際に形成されるものであり、また保持片２５は、片持ち状ではなく、両持ち状としてもよい。
【００４４】
吸上げ部材２７は、その下部を容器本体１内の薬液に浸漬させることにより、毛細管現象を利用して、容器本体外に突き出した上部に薬液を吸上げるもので、繊維体等の液体含浸物により幅広紐状に成形されたものである。
【００４５】
キャップ体３を構成する本体部４と開閉蓋部１２は、その後端間を蝶番１７で結合されるが、第一の実施形態例の場合、蝶番１７はヒンジ１８で構成され、本体部４と開閉蓋部１２とは一体に成形されている。
【００４６】
この第一の実施形態例の場合、頂板６の中央部分に、開閉蓋部１２の内筒１５が密に外嵌する有頂円筒状の口筒片８を起立設し、この口筒片８の天板中央に、幅広紐状の吸上げ部材２７を、容器本体１内から引出すための引出し口１０が開設されており、この引出し口１０の開口縁には、引出し口１０に位置している吸上げ部材２７部分に弾接して、引出された吸上げ部材２７が自重により容器本体１内に戻らないように支持する弾接片１１が設けられている。
【００４７】
キャップ体３の閉状態にあっては、引出し口１０は、内筒１５の口筒片８に対する密な外嵌により密閉され、容器は閉状態に維持される。
【００４８】
この状態から、開閉蓋部１２を開放回動させると、開閉蓋部１２は、吸上げ部材２７を、弾接片１１との摺動抵抗に打ち勝って引き上げ（図２参照）、この引き上げた吸上げ部材２７を露出させて薬液を揮散できる状態となる。
【００４９】
この薬液揮散状態において、薬液の揮散程度、すなわち吸上げ部材２７の露出程度は、開閉蓋部１２の開放角度に従って決定されるが、この開閉蓋部１２の開放角度は、弾接片１１で引出し状態が保持されている吸上げ部材２７により一定に支持される。
【００５０】
それゆえ、この第一の実施形態例にあっては、吸上げ部材２７による薬液の揮散程度は、連続的に調整して設定することになる。
【００５１】
図５ないし図８は、本発明の第二の実施形態例を示すもので、第一の実施形態例との違いは、口筒片８の代わりに、底板に引出し口１０を開設した有底筒状の収納筒片９を設け、この収納筒片９の筒壁を上方に突出させて、内筒１５が密嵌合する筒部分を形成して、保持体２２の保持片２５を二本平行に設け、さらに蝶番１７を、軸孔２０を有する蝶番片１９と蝶番軸２１とから構成した点にある。
【００５２】
収納筒片９内には、下部を薬液に浸漬させた吸上げ部材２７の所望長さの上部が折り畳み状に収納されており、この吸上げ部材２７の上端部は保持片２５に掛け止めされている。
【００５３】
保持体２２には二本の保持片２５が平行に設けられており、両保持片２５の上面と、この両保持片２５の間に対向して位置するベース板２３部分の下面との両方に、係止片２６が設けられている（図８参照）ので、吸上げ部材２７は、両保持片２５とベース板２３とにより、係止保持されることになり、吸上げ部材２７の開閉蓋部１２に対する組付きは、きわめて強固に達成される。
【００５４】
（以下、図７参照）本体部４の後側上端に、一対の足片を介して横設された蝶番軸２１は、その断面形状が正多角形状となっており、開閉蓋部１２の後側下端に設けられた蝶番片１９に形成されて、蝶番軸２１が嵌合する軸孔２０は、その開孔の断面形状が、蝶番軸２１の断面形状と同じとなっており、そしてこの軸孔２０には、蝶番軸２１を嵌め込むための欠部と、蝶番片１９に弾性を付与するための割り溝とが形成されている。
【００５５】
この軸孔２０と蝶番軸２１との組合せにより、開閉蓋部１２は、複数の開放角度位置で、その開放姿勢を自己保持することができ、このため収納筒片９内の吸上げ部材２７を引き上げた状態のまま、その開放姿勢を安定的に保持（図６参照）する。
【００５６】
それゆえ、この第二の実施形態例にあっては、吸上げ部材２７による薬液の揮散程度を、段階的に調整して設定することになる。
【図面の簡単な説明】
【００５７】
【図１】本発明の第一の実施形態例を示す、一部縦断した閉状態時の側面図である。
【図２】図１の実施形態例の、一部縦断した開状態時の一部側面図である。
【図３】保持体の第一構成例を示す、要部破断斜視図である。
【図４】保持体の係止片の他の構成例を示す、要部破断斜視図である。
【図５】本発明の第二の実施形態例を示す、一部縦断した閉状態時の側面図である。
【図６】図５の実施形態例の、一部縦断した開状態時の一部側面図である。
【図７】蝶番の構成例を示す、要部破断分解斜視図である。
【図８】保持体の第二構成例を示す、要部破断斜視図である。
【符号の説明】
【００５８】
１  ；容器本体
２  ；口筒部
３  ；キャップ体
４  ；本体部
５  ；組付き筒
６  ；頂板
７  ；係合段部
８  ；口筒片
９  ；収納筒片
１０；引出し口
１１；弾接片
１２；開閉蓋部
１３；頂壁
１４；外筒
１５；内筒
１６；係止突条
１７；蝶番
１８；ヒンジ
１９；蝶番片
２０；軸孔
２１；蝶番軸
２２；保持体
２３；ベース板
２４；切欠き
２５；保持片
２６；係止片
２７；吸上げ部材
２８：パッキン
【図１】
2008273558.tif 000003
【図２】
2008273558.tif 000004
【図３】
2008273558.tif 000005
【図４】
2008273558.tif 000006
【図５】
2008273558.tif 000007
【図６】
2008273558.tif 000008
【図７】
2008273558.tif 000009
【図８】
2008273558.tif 000010